(57)【要約】【課題】複数の色成分の画像信号におけるビットの値の変化の関係を原因とした、輻射ノイズの増大、或いは瞬間的な消費電力量の増大を抑制する。【解決手段】ビット反転制御回路３０は、第１の色成分の画像信号、及び第２の色成分の画像信号が入力される入力手段と、前記第２の色成分の画像信号を前記第１の色成分の画像信号と比較し、当該比較した結果が所定の条件を満たすかどうかを判定する判定手段と、前記条件を満たすと判定された場合、少なくとも前記第２の色成分の画像信号の、少なくとも一部のビットを論理反転するビット反転手段とを備える。【選択図】図１
2017060046.tif 000002
【特許請求の範囲】
【請求項１】
第１の色成分の画像信号、及び第２の色成分の画像信号が入力される入力手段と、
前記第２の色成分の画像信号を前記第１の色成分の画像信号と比較し、当該比較した結果が所定の条件を満たすかどうかを判定する判定手段と、
前記条件を満たすと判定された場合、少なくとも前記第２の色成分の画像信号の、少なくとも一部のビットを論理反転するビット反転手段と
を備える信号処理装置。
【請求項２】
前記判定手段は、
前記第２の色成分の画像信号が前記第１の色成分の画像信号に対して一致する割合が、閾値を超えたかどうかを判定し、
前記ビット反転手段は、
前記割合が前記閾値を超えたと判定された場合、前記第２の色成分の画像信号の、少なくとも一部のビットを論理反転する
ことを特徴とする請求項１に記載の信号処理装置。
【請求項３】
前記入力手段は、第３の色成分の画像信号が入力され、
前記判定手段は、
前記第３の色成分の画像信号を前記第１の色成分の画像信号と比較し、当該比較した結果が前記条件を満たすかどうかを判定し、
前記ビット反転手段は、
前記第３の色成分の画像信号について前記比較した結果が、前記条件を満たすと判定された場合、前記第３の色成分の画像信号の、少なくとも一部のビットを論理反転する
ことを特徴とする請求項１又は請求項２に記載の信号処理装置。
【請求項４】
前記ビットが論理反転された前記第２の色成分の画像信号に対して、当該論理反転されたことを示す識別信号を付加する付加手段
を備えることを特徴とする請求項１から請求項３のいずれか１項に記載の信号処理装置。
【請求項５】
前記付加手段により処理された画像信号から前記識別信号を検出した場合、当該画像信号の前記ビット反転手段と同じ位置のビットを論理反転する復元手段
を備えることを特徴とする請求項４に記載の信号処理装置。
【請求項６】
前記判定手段は、
前記第２の色成分の画像信号を前記第１の色成分の画像信号と比較し、前記条件を満たす場合は第１の判定信号を、当該条件を満たさない場合は第２の判定信号を出力する比較判定回路を含み、
前記ビット反転手段は、
前記第２の色成分の画像信号の少なくとも一部のビットを論理反転して出力する第１の反転回路と、
前記第１の判定信号が入力された場合は、前記第１の反転回路から入力された画像信号を、前記第２の判定信号が入力された場合は、前記第２の色成分の画像信号を選択して出力する第１のセレクターと
を含み、
前記付加手段は、
前記第１のセレクターから入力された画像信号に対して、前記第１の判定信号が入力された場合は、前記ビットが論理反転されたことを示す第１の識別信号を、前記第２の判定信号が入力された場合は、前記ビットが論理反転されていないことを示す第２の識別信号を付加して出力する加算器を含む
ことを特徴とする請求項５に記載の信号処理装置。
【請求項７】
前記復元手段は、
前記加算器により処理された画像信号から、前記第１の識別信号又は前記第２の識別信号を検出する検出回路と、
前記処理された画像信号の前記第１の反転回路と同じ位置のビットを論理反転して出力する第２の反転回路と、
前記第１の識別信号が検出された場合は、前記第２の反転回路から入力された画像信号を、前記第２の識別信号が検出された場合は、前記処理された画像信号を選択して出力する第２のセレクターと
を含むことを特徴とする請求項６に記載の信号処理装置。
【請求項８】
第１の色成分の画像信号、及び第２の色成分の画像信号が入力される入力手段と、
前記第２の色成分の画像信号を前記第１の色成分の画像信号と比較し、当該比較した結果が所定の条件を満たすかどうかを判定する判定手段と、
前記条件を満たすと判定された場合、少なくとも前記第２の色成分の画像信号の、少なくとも一部のビットを論理反転するビット反転手段と、
メモリーと、
前記メモリーにアクセスして、前記ビットが論理反転された画像信号を読み書きするメモリーコントローラーと、
前記読み書きされる画像信号に基づいて画像処理を行う画像処理手段と
を備える画像処理装置。
【請求項９】
第１の色成分の画像信号、及び第２の色成分の画像信号が入力される入力手段と、
前記第２の色成分の画像信号を前記第１の色成分の画像信号と比較し、当該比較した結果が所定の条件を満たすかどうかを判定する判定手段と、
前記条件を満たすと判定された場合、少なくとも前記第２の色成分の画像信号の、少なくとも一部のビットを論理反転するビット反転手段と、
前記第１の色成分の画像信号、及び第２の色成分の画像信号に基づいて画像を表示する表示手段と
を備える表示装置。
【請求項１０】
第１の色成分の画像信号、及び第２の色成分の画像信号が入力されるステップと、
前記第２の色成分の画像信号を前記第１の色成分の画像信号と比較し、当該比較した結果が所定の条件を満たすかどうかを判定するステップと、
前記条件を満たすと判定した場合、少なくとも前記第２の色成分の画像信号の、少なくとも一部のビットを論理反転するステップと
を備える信号処理方法。
【発明の詳細な説明】
【技術分野】
【０００１】
本発明は、画像信号の伝送を原因とした輻射ノイズの増大や、瞬間的な消費電力量の増大を抑えるための技術に関する。
【背景技術】
【０００２】
画像信号は、各ビットが“０”又は“１”で表されるデジタルデータとして、信号線を伝送する。特に、画像信号の伝送速度が高く、ビットの値の変化が高速である場合は、ビットの値が変化するタイミングで、電磁気的な輻射ノイズが増大したり、瞬間的に消費電力が増大したりすることがある。この問題を解決する技術として、特許文献１，２には、或る時点に伝送した画像データを、１サイクル（クロック）前に伝送した画像データと比較し、同時に変化するビット数が多い場合には各ビットを論理反転することが記載されている。
【先行技術文献】
【特許文献】
【０００３】
【特許文献１】特開２００５−１４２９３７号公報
【特許文献２】特開２００１−３５６７３７号公報
【発明の概要】
【発明が解決しようとする課題】
【０００４】
特許文献１，２は、単色の画像信号を原因とした輻射ノイズの増大や、瞬間的な消費電力量の増大を抑えるための技術を開示している。しかし、多色の画像を表示する表示装置では、複数の色成分（例えば、Ｒ（赤）、Ｇ（緑）、Ｂ（青））の画像信号が、異なる信号線を伝送する。このため、複数の色成分の画像信号におけるビットの値の変化の関係によっては、輻射ノイズ、或いは瞬間的な消費電力量の増大が顕著になる場合がある。
本発明は、上述した事情に鑑みてなされたもので、その目的の一つは、複数の色成分の画像信号におけるビットの値の変化の関係を原因とした、輻射ノイズの増大、或いは瞬間的な消費電力量の増大を抑制することである。
【課題を解決するための手段】
【０００５】
上記目的を達成するために、本発明に係る信号処理装置は、第１の色成分の画像信号、及び第２の色成分の画像信号が入力される入力手段と、前記第２の色成分の画像信号を前記第１の色成分の画像信号と比較し、当該比較した結果が所定の条件を満たすかどうかを判定する判定手段と、前記条件を満たすと判定された場合、少なくとも前記第２の色成分の画像信号の、少なくとも一部のビットを論理反転するビット反転手段とを備える。
この発明では、第２の色成分の画像信号を第１の色成分の画像信号と比較した結果が、所定の条件を満たすと判定した場合は、少なくとも当該第２の色成分の画像信号の、少なくとも一部のビットを論理反転する。この論理反転により、入力された第１の色成分の画像信及び第２の色成分の画像信号において、同一方向のビットの変化が同時に現れる頻度が低くなるため、輻射ノイズの増大、或いは瞬間的な消費電力量の増大が抑制される。
【０００６】
本発明において、前記判定手段は、前記第２の色成分の画像信号が前記第１の色成分の画像信号に対して一致する割合が、閾値を超えたかどうかを判定し、前記ビット反転手段は、前記割合が前記閾値を超えたと判定された場合、前記期間に入力された前記第２の色成分の画像信号の、少なくとも一部のビットを論理反転してもよい。
この発明によれば、第２の色成分の画像信号が第１の色成分の画像信号に対して一致する割合が、閾値を超えた場合に、当該割合が低くなるようにビットを論理反転するため、輻射ノイズの増大、或いは瞬間的な消費電力量の増大を抑制することができる。
【０００７】
本発明において、前記入力手段は、第３の色成分の画像信号が入力され、前記判定手段は、前記第３の色成分の画像信号を前記第１の色成分の画像信号と比較し、当該比較した結果が前記条件を満たすかどうかを判定し、前記ビット反転手段は、前記第３の色成分の画像信号について前記比較した結果が、前記条件を満たすと判定された場合、前記第３の色成分の画像信号の、少なくとも一部のビットを論理反転してもよい。
この発明によれば、第１の色成分の画像信号を基準として、第２の色成分の画像信号及び第３の色成分の画像信号のそれぞれについてビットの論理反転を制御することができる。
【０００８】
本発明において、前記ビットが論理反転された前記一の色成分の画像信号に対して、当該論理反転されたことを示す識別信号を付加する付加手段を備えてもよい。
この発明によれば、画像信号のビットが論理反転されていることを、当該画像信号に付加された識別信号を用いて判別できるようにすることができる。
【０００９】
本発明において、前記付加手段により処理された画像信号から前記識別信号を検出した場合、当該画像信号の前記ビット反転手段と同じ位置のビットを論理反転する復元手段を備えてもよい。
この発明によれば、ビットが論理反転された画像信号から、元の画像信号を復元することができる。
【００１０】
この発明において、前記判定手段は、前記第２の色成分の画像信号を前記第１の色成分の画像信号と比較し、前記条件を満たす場合は第１の判定信号を、当該条件を満たさない場合は第２の判定信号を出力する比較判定回路を含み、前記ビット反転手段は、前記第２の色成分の画像信号の少なくとも一部のビットを論理反転して出力する第１の反転回路と、前記第１の判定信号が入力された場合は、前記第１の反転回路から入力された画像信号を、前記第２の判定信号が入力された場合は、前記第２の色成分の画像信号を選択して出力する第１のセレクターとを含み、前記付加手段は、前記第１のセレクターから入力された画像信号に対して、前記第１の判定信号が入力された場合は、前記ビットが論理反転されたことを示す第１の識別信号を、前記第２の判定信号が入力された場合は、前記ビットが論理反転されていないことを示す第２の識別信号を付加して出力する加算器を含んでもよい。
この発明によれば、ハードウェア回路の処理によって、入力された第１の色成分の画像信及び第２の色成分の画像信号において、ビットの値の変化の関係を原因とした、輻射ノイズの増大、或いは瞬間的な消費電力量の増大を抑制することができる。
【００１１】
更に、前記復元手段は、前記加算器により処理された画像信号から、前記第１の識別信号又は前記第２の識別信号を検出する検出回路と、前記処理された画像信号の前記第１の反転回路と同じ位置のビットを論理反転して出力する第２の反転回路と、前記第１の識別信号が検出された場合は、前記第２の反転回路から入力された画像信号を、前記第２の識別信号が検出された場合は、前記処理された画像信号を選択して出力する第２のセレクターとを含んでもよい。
この発明によれば、ハードウェア回路の処理によって、ビットが論理反転された画像信号から元の画像信号を復元することができる。
【００１２】
なお、本発明は、信号処理装置のほか、画像処理装置、表示装置、及び信号処理方法としても観念することが可能である。
【図面の簡単な説明】
【００１３】
【図１】本発明の一実施形態に係る液晶表示装置のハードウェア構成を示すブロック図。
【図２】同実施形態に係る液晶パネルの構成を示す図。
【図３】同実施形態に係る液晶パネルの等価回路を示す図。
【図４】同実施形態に係るビット反転回路の機能構成を示す図。
【図５】同実施形態に係るビット反転回路の回路構成例を示す図。
【図６】同実施形態に係る復元回路の回路構成例を示す図。
【図７】同実施形態に係るビット反転回路が行うビット反転処理を示すフローチャート。
【図８】同実施形態に係るビット反転処理の一例の説明図。
【図９】同実施形態に係るビット反転処理の一例の説明図。
【図１０】同実施形態に係るビット反転処理の他の例の説明図。
【図１１】同実施形態に係るビット反転処理の他の例の説明図。
【図１２】同実施形態に係る復元回路が行う復元処理を示すフローチャート。
【図１３】同実施形態に係る復元処理の一例の説明図。
【図１４】本発明の変形例に係るビット反転回路及び復元回路の適用例を示すブロック図。
【発明を実施するための形態】
【００１４】
以下、本発明の実施の形態について図面を参照しつつ説明する。
図１は、本発明の一実施形態に係る液晶表示装置１のハードウェア構成を示すブロック図である。液晶表示装置１は、ＣＰＵ（Central Processing Unit）１０と、画像処理回路２０と、ビット反転制御回路３０と、メモリーコントローラー４０と、ＤＲＡＭ（Dynamic Random Access Memory）５０と、タイミング発生回路６０と、複数の液晶パネル１００（１００Ｒ，１００Ｇ，１００Ｂ）とを備える。液晶表示装置１における画像の表示手段は、光を射出する光源（図示略）、光源からの光を画像信号に応じて変調して画像光を射出する液晶パネル１００Ｒ、液晶パネル１００Ｇ、液晶パネル１００Ｂ、及び投写光学系（図示略）を含む。投写光学系は、液晶パネル１００Ｒ，１００Ｇ，１００Ｂによって変調された光を投写する。ビット反転制御回路３０、ＤＲＡＭ５０、メモリーコントローラー４０、及び画像処理回路２０は、画像処理装置９０を構成する。画像処理装置９０は、入力される画像信号に対して種々の画像処理を行う。
【００１５】
ＣＰＵ１０は、液晶表示装置１の全体を制御する演算処理装置である。ＣＰＵ１０は、ＤＲＡＭ５０にデータを読み書きして演算処理を行うことにより、液晶表示装置１の各部を制御する。
【００１６】
画像処理回路２０は、例えばＡＳＩＣ（Application Specific Integrated Circuit）を備え、ＤＲＡＭ５０へのデータの読み書きを伴う画像処理を行う画像処理手段である。この画像処理の一つとして、入力された画像データＤｉｎにガンマ補正を施して、Ｒ、Ｇ、Ｂの３つの色成分の画像信号を生成する処理がある。画像データＤｉｎは、ビデオ再生装置や、パーソナルコンピューター等の画像信号供給装置から入力される。画像処理回路２０は、これ以外にも、ＤＲＡＭ５０から読み出された画像信号に基づいて、各種の画像処理（例えば、階調補正）を行ってもよい。
以下の説明では、Ｒ、Ｇ、Ｂの３つの色成分の画像信号のうち、Ｒ成分の画像信号については符号の末尾に「（Ｒ）」を、Ｇ成分の画像信号については符号の末尾に「（Ｇ）」を、Ｂ成分の画像信号については符号の末尾に「（Ｂ）」を付して表す。
【００１７】
Ｒ成分の画像信号は、液晶パネル１００Ｒにおける各画素の階調レベルを指定するデジタルデータである。Ｇ成分の画像信号は、液晶パネル１００Ｇにおける各画素の階調レベルを指定するデジタルデータである。Ｂ成分の画像信号は、液晶パネル１００Ｂにおける各画素の階調レベルを指定するデジタルデータである。本実施形態では、一の色成分の画像信号は、任意のビット数で表されてよいが、本実施形態では８ビットとする。即ち、画像信号が１０進数で“０”（即ち、２進数で“００００００００”）で表される場合は、最低階調が指定され、１０進数で“２５５”（即ち、２進数で“１１１１１１１１”）で表される場合は、最高階調が指定される。
【００１８】
ビット反転制御回路３０は、ビット反転回路３１０と復元回路３２０とを含み、画像信号のビットを論理反転する制御を行う。ここにおいて、論理反転とは、ビットの値の“０”と“１”を反転させる処理をいう。ビット反転制御回路３０は、本発明の信号処理装置に相当する。ビット反転回路３１０は、ＣＰＵ１０から入力された画像信号Ｖｉｎに対してビット反転処理を施し、当該ビット反転処理後の画像信号Ｖｗを、メモリーコントローラー４０へ出力する。ビット反転処理とは、画像信号Ｖｉｎが所定の条件を満たす場合に、当該画像信号Ｖｉｎの少なくとも一部のビットを論理反転する処理をいう。例えば、画像信号Ｖｉｎが２進数で“０００１１１００”で表される場合において、全てのビットを論理反転するビット反転処理が行われると、“１１１０００１１”という画像信号に変換される。復元回路３２０は、メモリーコントローラー４０から入力された画像信号Ｖｒに対して復元処理を施し、当該復元処理後の画像信号Ｖｏｕｔを、ＣＰＵ１０へ出力する（復元手段）。復元処理は、ビット反転処理が施された画像信号から、元の画像信号、即ちビット反転処理前の画像信号を復元する処理である。
【００１９】
メモリーコントローラー４０は、ＣＰＵ１０の制御に応じて、ＤＲＡＭ５０にアクセスしてデータを読み書きする。メモリーコントローラー４０は、ビット反転制御回路３０から入力された画像信号ＶｗをＤＲＡＭ５０に書き込み、また、ＤＲＡＭ５０から読み出した画像信号Ｖｒをビット反転制御回路３０へ出力する。
ＤＲＡＭ５０は、液晶表示装置１のメインメモリーとして使用されるメモリー（半導体メモリー）である。
【００２０】
タイミング発生回路６０は、各種のタイミング制御信号を発生させて、液晶パネル１００Ｒ，１００Ｇ，１００Ｂの各々に供給する。
液晶パネル１００Ｒ，１００Ｇ，１００Ｂは、例えば、各画素をトランジスターなどのスイッチング素子により駆動するアクティブ・マトリクス型の液晶パネルである。液晶パネル１００Ｒは、ＣＰＵ１０から供給された画像信号Ｖｉｄ（Ｒ）に基づいて、Ｒ成分の画像を表示する。液晶パネル１００Ｇは、ＣＰＵ１０から供給された画像信号Ｖｉｄ（Ｇ）に基づいて、Ｇ成分の画像を表示する。液晶パネル１００Ｂは、ＣＰＵ１０から供給された画像信号Ｖｉｄ（Ｂ）に基づいて、Ｂ成分の画像を表示する。
【００２１】
図２は、液晶パネル１００の構成を示す図である。液晶パネル１００Ｒ，１００Ｇ，１００Ｂは、入力される画像信号の色成分が各々異なるが、構成及び表示動作は互いに共通する。このため、以下では、液晶パネル１００Ｒ，１００Ｇ，１００Ｂを「液晶パネル１００」と総称し、画像信号Ｖｉｄ（Ｒ），Ｖｉｄ（Ｇ），Ｖｉｄ（Ｂ）を「画像信号Ｖｉｄ」と総称して説明する。
図２に示すように、液晶パネル１００では、１，２，３，４，…，ｍ行（ｍは自然数）の走査線１１２が、一方向（図中横方向）に延在するように設けられる。また、液晶パネル１００では、１，２，３，４，５…，ｎ列（ｎは自然数）のデータ線１１４が、走査線１１２に直交する方向（図中縦方向）に延在するように設けられる。各データ線１１４と各走査線１１２とは互いに電気的に絶縁を保つように設けられる。そして、これらｍ行の走査線１１２とｎ列のデータ線１１４との交点のそれぞれに対応して、画素１１０がそれぞれ設けられる。したがって、本実施形態では、表示領域７０において、画素１１０が縦ｍ行×横ｎ列でマトリクス状に配列する。画素１１０は、画素電極とコモン電極とで液晶を挟持した液晶素子を有し、走査線１１２が選択されたときに、データ線１１４に供給されたデータ信号が画素電極に印加される。
【００２２】
走査線駆動回路１３０は、タイミング発生回路６０から入力された１フレーム（１Ｆ）周期のＹ転送開始パルスＤＹを、タイミング発生回路６０から入力されたＹクロック信号ＹＣＫに従って順次シフトして走査信号Ｙ１，Ｙ２，…，Ｙｍを生成する。Ｙ転送開始パルスＤＹは、走査線１１２の選択の開始を指示するパルスであり、例えば１フレーム（１垂直走査期間）の周期でアクティブとなる。フレームとは、液晶パネル１００を駆動することによって、画像の１コマ分を表示させるのに要する期間をいう。走査信号Ｙ１，Ｙ２，…，Ｙｍは、画素１１０にデータ信号が書き込まれる書込期間においてアクティブとなり、非書込期間において非アクティブとなる信号である。走査線１１２には、走査信号Ｙ１，Ｙ２，Ｙ３，Ｙ４，…，Ｙｍが、パルス的に線順次で印加される。データ線駆動回路１４０は、タイミング発生回路６０から入力された水平走査周期のＸ転送開始パルスＤＸを、タイミング発生回路６０から入力されたＸクロック信号ＸＣＫに従って転送して、サンプリング信号を内部的に生成する。Ｘ転送開始パルスＤＸは、データ線１１４の選択の開始を指示するパルスであり、１水平走査期間の周期でアクティブとなる。そして、データ線駆動回路１４０は、このサンプリング信号を用いて画像信号Ｖｉｄをデータ信号Ｘ１，Ｘ２，Ｘ３，Ｘ４，Ｘ５，…，Ｘｎを生成する。データ信号Ｘ１，Ｘ２，Ｘ３，Ｘ４，Ｘ５，…，Ｘｎは、画素１１０が表示すべき階調となるように、液晶素子１２０の透過率又は反射率を規定する信号である。データ線１１４には、データ信号Ｘ１，Ｘ２，Ｘ３，Ｘ４，Ｘ５，…，Ｘｎが所定のタイミングで供給され、対応する画素１１０に順番に書き込まれる。
【００２３】
図３は、液晶パネル１００の等価回路を示す図である。
図３に示すように、液晶パネル１００は、走査線１１２とデータ線１１４との交差に対応して、画素電極１１８とコモン電極１０８とで液晶１０５を挟持した液晶素子１２０が配列した構成である。液晶パネル１００における等価回路では、液晶素子１２０に対して並列に補助容量（蓄積容量）１２５が設けられる。補助容量１２５は、一端が画素電極１１８に接続され、他端が容量線１１５に共通接続される。容量線１１５は時間的に一定の電圧に保たれている。
ここで、走査線１１２が走査信号の印加に応じてＨ（ハイ）レベルになると、その走査線１１２にゲート電極が接続されたＴＦＴ１１６がオンとなり、画素電極１１８がデータ線１１４に接続される。このため、走査線１１２がＨレベルであるときに、データ線１１４に階調レベルに応じた大きさの電圧のデータ信号が供給されると、そのデータ信号は、オンしたＴＦＴ１１６を介して画素電極１１８に供給される。走査線１１２がＬ（ロー）レベルになると、ＴＦＴ１１６はオフするが、画素電極１１８に印加された電圧は、液晶素子１２０の容量性及び補助容量１２５によって保持される。
液晶素子１２０では、画素電極１１８及びコモン電極１０８によって生じる電界に応じて液晶１０５の分子配向状態が変化する。このため、液晶素子１２０は、透過型であれば、印加・保持電圧に応じた透過率となる。液晶パネル１００では、液晶素子１２０毎に透過率が変化するので、画素１１０の各々が液晶素子１２０を有することになる。
【００２４】
図４は、ビット反転回路３１０の機能構成を示すブロック図である。ビット反転回路３１０は、入力手段３１０Ａと、判定手段３１０Ｂと、ビット反転手段３１０Ｃと、付加手段３１０Ｄとに相当する機能を有する。
入力手段３１０Ａは、第１の色成分の画像信号、第２の色成分の画像信号、及び第３の色成分の画像信号が入力される手段である。第１の色成分の画像信号、第２の色成分の画像信号、及び第３の色成分の画像信号は、本実施形態のＲ、Ｇ、Ｂの３つの色成分のうち、互いに異なる色成分の画像信号Ｖｉｎに対応する。判定手段３１０Ｂは、入力手段３１０Ａに入力された画像信号Ｖｉｎにおいて、第１の色成分の画像信号を第２の色成分の画像信号と比較し、当該比較した結果が、所定の条件を満たすかどうかを判定する手段である。ビット反転手段３１０Ｃは、当該条件を満たすと判定された場合、少なくとも第２の色成分の画像信号の、少なくとも一部のビットを論理反転する手段である。ビット反転手段３１０Ｃは、当該条件を満たさないと判定された場合、当該一の色成分の画像信号のビットを論理反転しない。付加手段３１０Ｄは、ビットが論理反転された一の色成分の画像信号に対して、当該論理反転されたことを示す識別信号を付加して、画像信号Ｖｗとして出力する手段である。
【００２５】
図５は、ビット反転回路３１０の回路構成例を示す図である。
入力受付回路３１１は、Ｒ成分の画像信号Ｖｉｎ（Ｒ）、Ｇ成分の画像信号Ｖｉｎ（Ｇ）、及びＢ成分の画像信号Ｖｉｎ（Ｂ）が並列的に入力されると、これらを各々異なる信号線を介して出力する。
なお、ビット反転回路３１０では、同一の画素の階調値を指定する画像信号Ｖｉｎ（Ｒ），Ｖｉｎ（Ｇ），Ｖｉｎ（Ｂ）が、同じタイミングで伝送するように、ＣＰＵ１０によって制御されている。
【００２６】
反転回路３１２Ｒは、入力受付回路３１１から入力された画像信号Ｖｉｎ（Ｒ）のビットを論理反転して出力する第１の反転回路である。反転回路３１２Ｒは、画像信号Ｖｉｎ（Ｒ）の全てのビットを論理反転し、反転画像信号Ｖｉｎ＿ｔ（Ｒ）として出力する。例えば、画像信号Ｖｉｎ（Ｒ）が“００００１１１１”で表される場合、反転画像信号Ｖｉｎ＿ｔ（Ｒ）は“１１１１００００”で表される。
【００２７】
セレクター３１３Ｒは、入力された画像信号Ｖｉｎ（Ｒ）と、反転回路３１２Ｒから入力された反転画像信号Ｖｉｎ＿ｔ（Ｒ）との一方を選択して出力する第１のセレクターである。セレクター３１３Ｒは、比較判定回路３１４から入力されたサインビットＳＧＮ（Ｒ）が“１”である場合は、反転画像信号Ｖｉｎ＿ｔ（Ｒ）を、サインビットＳＧＮ（Ｒ）が“０”である場合は、画像信号Ｖｉｎ（Ｒ）を選択する。
【００２８】
比較判定回路３１４には、Ｒ成分の画像信号Ｖｉｎ（Ｒ）、Ｇ成分の画像信号Ｖｉｎ（Ｇ）、及びＢ成分の画像信号Ｖｉｎ（Ｂ）が入力される。比較判定回路３１４は、入力された各色成分の画像信号のうち、基準色成分以外の各色成分の画像信号を、当該基準色成分の画像信号と比較する。基準色成分は、比較の基準となる色成分で、例えば、液晶表示装置１の製造段階、又はユーザーの操作によって決められている。本実施形態では、Ｇ成分を基準色成分（第１の色成分）とし、Ｒ成分及びＢ成分を基準色成分以外の色成分（第２の色成分及び第３の色成分）とする。また、比較判定回路３１４は、単位期間毎に、当該単位期間に入力された画像信号同士を比較する。本実施形態では、単位期間は、液晶パネル１００の一の行に属するｎ個の画素１１０（即ち、１ライン）に対応する画像信号が入力される期間である。
【００２９】
比較判定回路３１４は、同一の行に属するｎ個の画素１１０に関し、画像信号Ｖｉｎ（Ｒ）と画像信号Ｖｉｎ（Ｇ）との一致率を計算し、当該一致率が閾値を超えたかどうかを判定する。一致率は、比較された画像信号同士が一致する割合で、ここでは、単位期間に入力された画像信号の全ビット数のうち、同じ位置同士でビット数の値が一致した割合を、百分率で表した値である。例えば、画像信号Ｖｉｎ（Ｒ）が“１１１１１１１１”で、画像信号Ｖｉｎ（Ｇ）が“１０１０１０１０”の場合、一致率は５０％である。比較判定回路３１４は、一致率が閾値を超えている場合は、サインビットＳＧＮ（Ｒ）を“１”（第１の判定信号）とし、閾値以下の場合はサインビットＳＧＮ（Ｒ）を“０”（第２の判定信号）として出力する。閾値は、例えば、液晶表示装置１の製造段階、又はユーザーの操作によって決められている。閾値は、本実施形態では５０％であるが、８０％等の他の値であってもよい。
【００３０】
同様に、比較判定回路３１４は、画像信号Ｖｉｎ（Ｂ）と画像信号Ｖｉｎ（Ｇ）との一致率を計算し、当該一致率が閾値を超えた場合は、サインビットＳＧＮ（Ｂ）を“１”とし、閾値以下の場合は、サインビットＳＧＮ（Ｂ）を“０”として出力する。比較判定回路３１４は、基準色成分であるＧ成分については、サインビットＳＧＮ（Ｇ）を常に“０”として出力する。
なお、本実施形態では、サインビットを１ビットのデータとするが、２ビット以上のデータであってもよい。
【００３１】
加算器３１５Ｒは、セレクター３１３Ｒから入力された画像信号に対して、比較判定回路３１４から入力されたサインビットＳＧＮ（Ｒ）を加算（即ち付加）して、画像信号Ｖｗ（Ｒ）として出力する。即ち、加算器３１５Ｒは、セレクター３１３Ｒから反転画像信号Ｖｉｎ＿ｔ（Ｒ）が入力された場合は、サインビットＳＧＮ（Ｒ）として“１”（第１の識別信号）を、画像信号Ｖｉｎ（Ｒ）が入力された場合は、サインビットＳＧＮ（Ｒ）として“０”（第２の識別信号）を付加する。第１の識別信号である“１”は、画像信号のビットが論理反転されたことを示し、第２の識別信号である“０”は、画像信号のビットが論理反転されていないことを示す。
【００３２】
Ｂ成分、及びＧ成分に対応する各回路要素も、Ｒ成分に対応する各回路要素と同様に動作する。
反転回路３１２Ｂは、入力されたＢ成分の画像信号Ｖｉｎ（Ｂ）のビットを論理反転して出力する。反転回路３１２Ｂは、Ｂ成分の画像信号Ｖｉｎ（Ｂ）の全てのビットを論理反転して、反転画像信号Ｖｉｎ＿ｔ（Ｂ）として出力する。
セレクター３１３Ｂは、画像信号Ｖｉｎ（Ｂ）と、反転回路３１２Ｂから入力された反転画像信号Ｖｉｎ＿ｔ（Ｂ）との一方を選択して出力する。セレクター３１３Ｂは、比較判定回路３１４から入力されたサインビットＳＧＮ（Ｂ）が“１”である場合は、反転画像信号Ｖｉｎ＿ｔ（Ｇ）を、サインビットＳＧＮ（Ｂ）が“０”である場合は、画像信号Ｖｉｎ（Ｂ）を選択する。
加算器３１５Ｂは、セレクター３１３Ｇから入力された画像信号に対して、比較判定回路３１４から入力されたサインビットＳＧＮ（Ｂ）を付加して、画像信号Ｖｗ（Ｂ）として出力する。即ち、加算器３１５Ｂは、セレクター３１３Ｂから反転画像信号Ｖｉｎ＿ｔ（Ｂ）が入力された場合は、サインビットＳＧＮ（Ｂ）として“１”（第１の識別信号）を、画像信号Ｖｉｎ（Ｂ）が入力された場合は、サインビットＳＧＮ（Ｂ）として“０”（第２の識別信号）を付加する。
【００３３】
反転回路３１２Ｇは、入力されたＧ成分の画像信号Ｖｉｎ（Ｇ）のビットを論理反転して出力する。反転回路３１２Ｇは、Ｇ成分の画像信号Ｖｉｎ（Ｇ）の全てのビットを論理反転して、反転画像信号Ｖｉｎ＿ｔ（Ｇ）として出力する。
セレクター３１３Ｇは、画像信号Ｖｉｎ（Ｇ）と、反転回路３１２Ｇから入力された反転画像信号Ｖｉｎ＿ｔ（Ｇ）との一方を選択して出力する。ただし、本実施形態では、サインビットＳＧＮ（Ｇ）は常に“０”であるから、セレクター３１３Ｇは、画像信号Ｖｉｎ（Ｇ）を常に選択する。
加算器３１５Ｇは、セレクター３１３Ｇから入力された画像信号に対して、比較判定回路３１４から入力されたサインビットＳＧＮ（Ｇ）を付加して、画像信号Ｖｗ（Ｇ）として出力する。前述したように、本実施形態では、サインビットＳＧＮ（Ｇ）は常に“０”（第２の識別信号）である。
【００３４】
以上のようにして、ビット反転回路３１０から画像信号Ｖｗ（Ｒ）、画像信号Ｖｗ（Ｇ）、画像信号Ｖｗ（Ｂ）が入力されると、メモリーコントローラー４０は、これらの画像信号をＤＲＡＭ５０に書き込む。
【００３５】
図６は、復元回路３２０の回路構成例を示す図である。メモリーコントローラー４０は、ＤＲＡＭ５０から読み出した画像信号Ｖｒ（Ｒ），Ｖｒ（Ｇ），Ｖｒ（Ｂ）を、並列的に、復元回路３２０に供給する。
なお、復元回路３２０では、同一の画素の階調値を指定する画像信号Ｖｒ（Ｒ），Ｖｒ（Ｇ），Ｖｒ（Ｂ）が、同じタイミングで伝送するように、ＣＰＵ１０によって制御されている。
検出回路３２１Ｒは、メモリーコントローラー４０から入力された画像信号Ｖｒ（Ｒ）からサインビットＳＧＮ（Ｒ）を検出する回路である。検出回路３２１Ｒは、検出したサインビットＳＧＮ（Ｒ）を、セレクター３２３Ｒに出力する。
反転回路３２２Ｒは、メモリーコントローラー４０から入力された画像信号Ｖｒ（Ｒ）のビットを論理反転して出力する第２の反転回路である。反転回路３２２Ｒは、画像信号Ｖｒ（Ｒ）の全てのビットを論理反転し、反転画像信号Ｖｒ＿ｔ（Ｒ）として出力する。
セレクター３２３Ｒは、画像信号Ｖｒ（Ｒ）と、反転回路３２２Ｒから入力された反転画像信号Ｖｒ＿ｔ（Ｒ）との一方を選択して、画像信号Ｖｏｕｔ（Ｒ）として出力する第２のセレクターである。セレクター３２３Ｒは、検出回路３２１Ｒから入力されたサインビットＳＧＮ（Ｒ）が“１”である場合は、反転画像信号Ｖｒ＿ｔ（Ｒ）を、サインビットＳＧＮ（Ｒ）が“０”である場合は、画像信号Ｖｒ（Ｒ）を選択する。
【００３６】
Ｂ成分、及びＧ成分に対応する各回路要素も、Ｒ成分に対応する各回路要素と同様に動作する。
検出回路３２１Ｂは、メモリーコントローラー４０から入力された画像信号Ｖｒ（Ｂ）からサインビットＳＧＮ（Ｂ）を検出する回路である。検出回路３２１Ｂは、検出したサインビットＳＧＮ（Ｂ）を、セレクター３２３Ｂに出力する。
反転回路３２２Ｂは、メモリーコントローラー４０から入力された画像信号Ｖｒ（Ｂ）のビットを論理反転して出力する。反転回路３２２Ｂは、画像信号Ｖｒ（Ｂ）の全てのビットを論理反転し、反転画像信号Ｖｒ＿ｔ（Ｂ）として出力する。
セレクター３２３Ｂは、画像信号Ｖｒ（Ｂ）と、反転回路３２２Ｂから入力された反転画像信号Ｖｒ＿ｔ（Ｂ）との一方を選択して、画像信号Ｖｏｕｔ（Ｂ）として出力する。セレクター３２３Ｂは、検出回路３２１Ｂから入力されたサインビットＳＧＮ（Ｂ）が”１”である場合は、反転画像信号Ｖｒ＿ｔ（Ｂ）を、サインビットＳＧＮ（Ｂ）が“０”である場合は、画像信号Ｖｒ（Ｂ）を選択する。
【００３７】
検出回路３２１Ｇは、メモリーコントローラー４０から入力された画像信号Ｖｒ（Ｇ）からサインビットＳＧＮ（Ｇ）を検出する回路である。本実施形態では、検出回路３２１Ｇは、検出したサインビットＳＧＮ（Ｇ）として“０”を、セレクター３２３Ｇに出力する。
反転回路３２２Ｇは、メモリーコントローラー４０から入力された画像信号Ｖｒ（Ｇ）のビットを論理反転して出力する。反転回路３２２Ｇは、画像信号Ｖｒ（Ｇ）の全てのビットを論理反転し、反転画像信号Ｖｒ＿ｔ（Ｇ）として出力する。
セレクター３２３Ｇは、画像信号Ｖｒ（Ｇ）と、反転回路３２２Ｇから入力された反転画像信号Ｖｒ＿ｔ（Ｇ）との一方を選択して、画像信号Ｖｏｕｔ（Ｇ）として出力する。本実施形態では、セレクター３２３Ｇは、検出回路３２１Ｇから入力されたサインビットＳＧＮ（Ｂ）が常に”０”であるから、常に画像信号Ｖｒ（Ｇ）を選択する。
なお、画像信号Ｖｏｕｔ（Ｒ）、Ｖｏｕｔ（Ｇ），Ｖｏｕｔ（Ｇ）からは、フィルター処理等によって、サインビットが除去されているものとする。
【００３８】
＜ビット反転処理＞
図７は、ビット反転回路３１０が行うビット反転処理を示すフローチャートである。
ビット反転回路３１０は、Ｒ、Ｇ、Ｂの各色成分の画像信号Ｖｉｎの入力を受け付ける（ステップＳ１）。ここでは、図８（Ａ）に示す画像信号Ｖｉｎ（Ｒ），Ｖｉｎ（Ｇ），Ｖｉｎ（Ｂ）が並列的に入力されたとする。説明を簡単にするために、ここでは、単位期間に入力される画素を、１０画素とする。図において、黒の正方形で表した画素は、階調値が“０”の画素であり、白の正方形で表した画素は、階調値が“２５５”の画素である。図８（Ａ）の例の場合、Ｒ、Ｇ、Ｂの各階調値が“０”から“２５５”に変化するタイミングで瞬間的な消費電力量が増大する。また、ビットの値が、階調値“０”と“２５５”との間で高速に切り替わる期間では、高周波の輻射ノイズが増大しやすい。
【００３９】
次に、ビット反転回路３１０は、単位期間におけるＲ成分の画像信号Ｖｉｎ（Ｒ）と、Ｇ成分の画像信号Ｖｉｎ（Ｇ）との一致率を計算する（ステップＳ２Ｒ）。ここでは、階調値が“０”の画素と“２５５”の画素としか存在しないので、１０個の画素のうち、階調値が一致した画素の割合が、ビットの値が一致した割合となる。入力される画像信号が図８（Ａ）に示す画像信号Ｖｉｎ（Ｒ），Ｖｉｎ（Ｇ），Ｖｉｎ（Ｂ）である場合、画像信号Ｖｉｎ（Ｒ）と画像信号Ｖｉｎ（Ｇ）とが同じ規則で変化しており、一致率は１００％である。
次に、ビット反転回路３１０は、一致率が閾値を超えているかどうかを判定する（ステップＳ３Ｒ）。この場合、一致率（１００％）が閾値（５０％）を超えているため、ビット反転回路３１０は、ステップＳ３Ｒで「ＹＥＳ」と判定し、反転画像信号Ｖｉｎ＿ｔ（Ｒ）を選択する（ステップＳ４Ｒ）。具体的には、ビット反転回路３１０は、図８（Ｂ）に示す反転画像信号Ｖｉｎ＿ｔ（Ｒ）を選択する。
【００４０】
次に、ビット反転回路３１０は、反転画像信号Ｖｉｎ＿ｔ（Ｒ）に対して、サインビットＳＧＮ（Ｒ）を付加する（ステップＳ５Ｒ）。ここでは、図９に示すように、ビット反転回路３１０は、反転画像信号Ｖｉｎ＿ｔ（Ｒ）の先頭に、サインビットＳＧＮ（Ｒ）として“１”を付加し、これを画像信号Ｖｗ（Ｒ）としてメモリーコントローラー４０に出力する。
【００４１】
ステップＳ２Ｂでは、ビット反転回路３１０は、画像信号Ｖｉｎ（Ｂ）と画像信号Ｖｉｎ（Ｇ）との一致度を計算する（ステップＳ２Ｂ）。入力される画像信号が図８（Ａ）に示す画像信号Ｖｉｎ（Ｒ），Ｖｉｎ（Ｇ），Ｖｉｎ（Ｂ）である場合、画像信号Ｖｉｎ（Ｂ）と画像信号Ｖｉｎ（Ｇ）とは同じ規則で変化しており、一致率は１００％である。この場合、ビット反転回路３１０は、ステップＳ３Ｂで「ＹＥＳ」と判定し、反転画像信号Ｖｉｎ＿ｔ（Ｂ）を選択する（ステップＳ４Ｂ）。具体的には、ビット反転回路３１０は、図８（Ｂ）に示す反転画像信号Ｖｉｎ＿ｔ（Ｂ）を選択する。
【００４２】
次に、ビット反転回路３１０は、反転画像信号Ｖｉｎ＿ｔ（Ｂ）に対して、サインビットＳＧＮ（Ｂ）を付加する（ステップＳ５Ｂ）。ここでは、図９に示すように、ビット反転回路３１０は、反転画像信号Ｖｉｎ＿ｔ（Ｂ）の先頭に、サインビットＳＧＮ（Ｂ）として”１”を付加し、これを画像信号Ｖｗ（Ｂ）としてメモリーコントローラー４０に出力する。
【００４３】
基準色成分であるＧ成分については、ビット反転回路３１０は、一致度の計算を省略し、Ｇ成分の画像信号Ｖｉｎ（Ｇ）を選択する（ステップＳ６Ｇ）。次に、ビット反転回路３１０は、画像信号Ｖｉｎ（Ｇ）に対して、サインビットＳＧＮ（Ｇ）を付加する（ステップＳ７Ｇ）。ここでは、図９に示すように、ビット反転回路３１０は、画像信号Ｖｉｎ（Ｇ）の先頭に、サインビットＳＧＮ（Ｇ）として“０”を付加し、これを画像信号Ｖｗ（Ｇ）としてメモリーコントローラー４０に出力する。
【００４４】
以上のビット反転処理によれば、図８（Ａ）と図８（Ｂ）とを対比して分かるように、ビット反転処理が行われる前に比べて、消費電力量の瞬間的な増大が抑制される。また、消費電力量の時間的な変動が小さくなるため、高周波の輻射ノイズが発生しにくくなる。
【００４５】
ステップＳ１で、図１０（Ａ）に示す画像信号Ｖｉｎ（Ｒ），Ｖｉｎ（Ｇ），Ｖｉｎ（Ｂ）が入力された場合を考える。この場合、ステップＳ２Ｒにおいて、ビット反転回路３１０は、画像信号Ｖｉｎ（Ｒ）と画像信号Ｖｉｎ（Ｇ）との一致度として、６０％を計算する。次に、ビット反転回路３１０は、一致率が閾値を超えているかどうかを判定する（ステップＳ３Ｒ）。この場合も、一致率（６０％）が閾値（５０％）を超えているため、ビット反転回路３１０は、ステップＳ３Ｒで「ＹＥＳ」と判定し、図１０（Ｂ）に示す反転画像信号Ｖｉｎ＿ｔ（Ｒ）を選択する（ステップＳ４Ｒ）。そして、ビット反転回路３１０は、図１１に示すように、反転画像信号Ｖｉｎ＿ｔ（Ｒ）の先頭に、サインビットＳＧＮ（Ｒ）として“１”を付加して（ステップＳ５Ｒ）、これを画像信号Ｖｗ（Ｒ）とする。
【００４６】
ステップＳ２Ｂでは、ビット反転回路３１０は、画像信号Ｖｉｎ（Ｂ）と画像信号Ｂｉｎ（Ｇ）との一致度として、１０％を計算する。次に、ビット反転回路３１０は、一致率が閾値を超えているかどうかを判定する（ステップＳ３Ｂ）。この場合、一致率（１０％）が閾値（５０％）を超えていないため、ビット反転回路３１０は、ステップＳ３Ｂで「ＮＯ」と判定し、図１０（Ｂ）に示す画像信号Ｖｉｎ（Ｂ）を選択する（ステップＳ６Ｂ）。そして、ビット反転回路３１０は、図１１に示すように、画像信号Ｖｉｎ（Ｂ）に対して、サインビットＳＧＮ（Ｂ）として“０”を付加して（ステップＳ７Ｂ）、これを画像信号Ｖｗ（Ｂ）とする。
基準色であるＧ成分については、ビット反転回路３１０は、図１１に示すように、画像信号Ｖｉｎ（Ｇ）に対して、サインビットＳＧＮ（Ｇ）として“０”を付加して、これを画像信号Ｖｗ（Ｇ）とする。
【００４７】
以上のビット反転処理によれば、図１０（Ａ）と図１０（Ｂ）とを対比して分かるように、ビット反転処理が行われる前に比べて、消費電力量の瞬間的な増大が抑制される。また、消費電力量の時間的な変動が小さくなるため、高周波の輻射ノイズが発生しにくくなっている。その理由は、閾値を５０％以上として、ビット反転処理が行われることにより、一致率が低くなる方向に画像信号Ｖｉｎのビットが論理反転されるからである。言い換えれば、一致率が５０％以下である場合は、画像信号Ｖｉｎのビットが論理反転されないので、この論理反転によって一致率が高くなってしまうことはない。
なお、ビット反転回路３１０は、ステップＳ２Ｒで一致度が閾値以下であると判定した場合は（ステップＳ３Ｒ；ＮＯ）、画像信号Ｖｉｎ（Ｒ）を選択し（ステップＳ６Ｒ）、サインビットＳＧＮ（Ｒ）として“０”を付加する（ステップＳ７Ｒ）。
【００４８】
＜復元処理＞
図１２は、復元回路３２０が行う復元処理を示すフローチャートである。
復元回路３２０は、ＤＲＡＭ５０から読み出されたＲ、Ｇ、Ｂの各色成分の画像信号Ｖｒ（Ｒ），Ｖｒ（Ｇ），Ｖｒ（Ｂ）が並列的に入力されると、各々の画像信号からサインビットを検出する。ここでは、Ｖｒ（Ｒ），Ｖｒ（Ｇ），Ｖｒ（Ｂ）は、それぞれ、図９に示す画像信号Ｖｗ（Ｒ），Ｖｗ（Ｇ），Ｖｗ（Ｂ）と同じ画像信号である。
復元回路３２０は、画像信号Ｖｒ（Ｒ）からサインビットＳＧＮ（Ｒ）を検出する（ステップＳ１１Ｒ）。次に、復元回路３２０は、サインビットＳＧＮ（Ｒ）が“１”かどうかを判定する（ステップＳ１２Ｒ）。ここでは、図９に示す画像信号Ｖｗ（Ｒ）に付加されたサインビットＳＧＮ（Ｒ）は“１”であるため、復元回路３２０は、ステップＳ１２Ｒで「ＹＥＳ」と判定する。そして、復元回路３２０は、画像信号Ｖｒ（Ｒ）を論理反転した反転画像信号Ｖｒ＿ｔ（Ｒ）を選択する（ステップＳ１３Ｒ）。図１３（Ａ）に示すように、画像信号Ｖｏｕｔ（Ｒ）は、反転画像信号Ｖｒ＿ｔ（Ｒ）となり、図８（Ａ）で説明した画像信号Ｖｉｎ（Ｒ）と同じであるから、元の画像信号が復元されたことになる。
【００４９】
同様に、復元回路３２０は、画像信号Ｖｒ（Ｂ）からサインビットＳＧＮ（Ｂ）を検出する（ステップＳ１１Ｂ）。次に、復元回路３２０は、サインビットＳＧＮ（Ｂ）が“１”かどうかを判定する（ステップＳ１２Ｂ）。ここでは、図９に示す画像信号Ｖｗ（Ｂ）に付加されたサインビットＳＧＮ（Ｂ）は”１”であるため、復元回路３２０は、ステップＳ１２Ｂで「ＹＥＳ」と判定する。そして、復元回路３２０は、画像信号Ｖｒ（Ｂ）を論理反転した反転画像信号Ｖｒ＿ｔ（Ｂ）を選択する（ステップＳ１３Ｂ）。図１３（Ａ）に示すように、画像信号Ｖｏｕｔ（Ｂ）は、反転画像信号Ｖｒ＿ｔ（Ｂ）となり、図８（Ａ）で説明した画像信号Ｖｉｎ（Ｂ）と同じであるから、元の画像信号が復元されたことになる。
【００５０】
同様に、復元回路３２０は、画像信号Ｖｒ（Ｇ）からサインビットＳＧＮ（Ｇ）を検出する（ステップＳ１１Ｇ）。次に、復元回路３２０は、サインビットＳＧＮ（Ｇ）が“１”かどうかを判定する（ステップＳ１２Ｇ）。ここでは、図９に示す画像信号Ｖｗ（Ｇ）に付加されたサインビットＳＧＮ（Ｇ）は”０”であるため、復元回路３２０は、ステップＳ１２Ｇで「ＮＯ」と判定する。そして、復元回路３２０は、画像信号Ｖｒ（Ｇ）を選択する（ステップＳ１４Ｇ）。図１３（Ａ）に示すように、画像信号Ｖｏｕｔ（Ｇ）は、画像信号Ｖｒ（Ｇ）となり、図８（Ａ）で説明した画像信号Ｖｉｎ（Ｇ）と同じであるから、元の画像信号が復元されたことになる。
【００５１】
次に、図１１に示す画像信号Ｖｗ（Ｒ），Ｖｗ（Ｇ），Ｖｗ（Ｂ）と同じ画像信号Ｖｒ（Ｒ），Ｖｒ（Ｇ），Ｖｒ（Ｂ）が供給された場合を説明する。
この場合、復元回路３２０は、画像信号Ｖｒ（Ｒ）からサインビットＳＧＮ（Ｒ）を検出する（ステップＳ１１Ｒ）。図１１に示す画像信号Ｖｗ（Ｒ）に付加されたサインビットＳＧＮ（Ｒ）は”１”であるため、復元回路３２０は、ステップＳ１２Ｒで「ＹＥＳ」と判定し、画像信号Ｖｒ（Ｒ）を論理反転した反転画像信号Ｖｒ＿ｔ（Ｒ）を選択する（ステップＳ１３Ｒ）。図１３（Ｂ）に示すように、画像信号Ｖｏｕｔ（Ｒ）は、反転画像信号Ｖｒ＿ｔ（Ｒ）となり、図１０（Ａ）で説明した画像信号Ｖｉｎ（Ｒ）と同じであるから、元の画像信号が復元されたことになる。
【００５２】
同様に、復元回路３２０は、画像信号Ｖｒ（Ｂ）からサインビットＳＧＮ（Ｂ）を検出する（ステップＳ１１Ｂ）。次に、復元回路３２０は、サインビットＳＧＮ（Ｂ）が“１”かどうかを判定する（ステップＳ１２Ｂ）。ここでは、図１１に示す画像信号Ｖｗ（Ｂ）に付加されたサインビットＳＧＮ（Ｂ）は“０”であるため、復元回路３２０は、ステップＳ１２Ｂで「ＮＯ」と判定する。そして、復元回路３２０は、画像信号Ｖｒ（Ｂ）を選択する（ステップＳ１４Ｂ）。図１３（Ｂ）に示すように、Ｖｏｕｔ（Ｂ）は、画像信号Ｖｒ（Ｂ）となり、図１０（Ａ）で説明した画像信号Ｖｉｎ（Ｂ）と同じであるから、元の画像信号が復元されたことになる。
基準色であるＧ成分についても、図１３（Ｂ）に示すように、画像信号Ｖｏｕｔ（Ｇ）は画像信号Ｖｒ（Ｇ）となり、図１０（Ａ）で説明した画像信号Ｖｉｎ（Ｇ）と同じであるから、元の画像信号が復元されたことになる。
なお、復元回路３２０は、ステップＳ１２Ｒで「ＮＯ」と判定した場合は、画像信号Ｖｒ（Ｒ）を選択して（ステップＳ１４Ｒ）、画像信号Ｖｏｕｔ（Ｒ）を出力する。また、復元回路３２０は、ステップＳ１２Ｇで「ＮＯ」と判定した場合は、画像信号Ｖｒ（Ｇ）を選択して（ステップＳ１４Ｇ）、画像信号Ｖｏｕｔ（Ｇ）を出力する。
【００５３】
以上説明した復元処理により、ＤＲＡＭ５０にビット反転処理後の画像信号が書き込まれた場合でも、ＣＰＵ１０には元の画像信号が復元された状態で供給される。よって、ビット反転処理が、画像信号に基づいて画像処理回路２０が行う画像処理や、液晶パネル１００Ｒ，１００Ｇ，１００Ｂへの画像の表示に悪影響を及ぼすことはない。
【００５４】
本発明は、上述した実施形態と異なる形態で実施することが可能である。また、以下に示す変形例は、各々を適宜に組み合わせてもよい。
上述した実施形態では、液晶表示装置１が、ＤＲＡＭ５０に画像信号を書き込むときにビット反転処理を行い、ＤＲＡＭ５０から画像信号を読み出したときに復元処理を行っていた。これ以外にも、図１４に示す構成によりビット反転処理、及び復元処理が行われてもよい。
【００５５】
図１４は、ビット反転回路３１０及び復元回路３２０の適用例を示すブロック図である。図１４に示すように、画像信号の入力段にビット反転回路３１０が、画像信号の出力段に復元回路３２０が設けられ、更に、ビット反転回路３１０と復元回路３２０との間に画像処理回路８０が設けられている。画像処理回路８０は、ビット反転回路３１０からビット反転処理後の画像信号が入力されると、入力された画像信号に基づいて画像処理を行う。画像処理は、例えば階調補正であるが、それ以外の画像処理でもよい。画像処理回路８０は、所望する画像処理を行えるように、サインビットを参照して画像処理を行う。例えば、画像処理回路８０は、サインビットに応じたデータ変換を行う。そして、画像処理回路８０は、画像処理後の画像信号を復元回路３２０へ供給する。復元回路３２０は、復元処理を施した画像信号を出力する。
【００５６】
上述した実施形態では、単位期間を、液晶パネル１００において１ライン分の画素１１０に対応する画像信号が入力される期間としたが、これ以外の期間であってもよい。単位期間は、例えば、１フレーム、１画素、又はそれ以外の期間の画像信号が入力される期間であってもよい。１つの単位期間を長くするほど、全体としてのサインビットのデータ量は小さくなる。このため、サインビットのデータ量と、ビット反転処理による消費電力量、及び輻射ノイズの低減効果とのバランスを考慮して、単位期間が決められてもよい。また、ＤＲＡＭ５０における単位時間当たりのデータ伝送量に関係する帯域幅に応じて、単位期間が決められてもよい。
【００５７】
上述した実施形態では、単位期間に入力された画像信号の全てのビットを論理反転する場合を説明したが、基準色との一致率が低くなるのであれば、一部のビットだけを論理反転してもよい。ただし、復元回路３２０は、ビット反転回路３１０（反転回路３１２Ｒ，３１２Ｇ，３１２Ｂ）と同じ位置のビットを論理反転することにより、元の画像信号を復元する。
比較判定回路３１４は、セレクター３１３Ｒ，３１３Ｇ，３１３Ｂに対して、サインビットとは異なる判定信号を出力してもよい。ただし、この判定信号は、ビットを論理反転した画像信号を出力するかどうかの判定結果を示す信号である。
また、復元処理が可能であれば、ビット反転回路３１０がサインビットを付加する構成が省略されてもよい。
【００５８】
ＤＲＡＭ５０に対する画像信号の読み書きの方式に応じて、基準色成分が決定されてもよい。例えば、メモリーコントローラー４０が、Ｒ成分の画像信号とＧ成分の一部の画像信号をＤＲＡＭ５０に同時に書き込み、Ｂ成分の画像信号とＧ成分の他の画像信号をＤＲＡＭ５０に同時に書き込む場合は、Ｇ成分を基準色成分とする。
【００５９】
また、ビット反転回路３１０は、画像信号（又は表示する画像）に応じてビット反転処理の実行の有無を制御してもよい。この場合、比較判定回路３１４の前段に画像解析回路が設けられる。そして、比較判定回路３１４は、画像解析回路による解析結果に応じて、ビット反転処理を行う場合は、サインビットとして“０”及び“１”を選択的に出力し、ビット反転処理を行わない場合は、サインビットとして常に“０”を出力する。
【００６０】
上述した実施形態では、Ｒ、Ｇ、Ｂの３つの色成分の画像信号が用いられていたが、本発明は、２つ又は４つ以上の色成分の画像信号が伝送する装置に適用されてよい。また、本発明では、全ての色成分の画像信号をビット反転処理の対象にしなくてもよく、例えばＲ成分についてはビット反転処理の対象とし、Ｂ成分についてはビット反転処理の対象としないことも可能である。この場合はＲ成分、Ｇ成分及びＢ成分のうちＲ成分のみがビット反転処理の対象となり、Ｇ成分及びＢ成分はビット反転処理の対象とはならない。
【００６１】
上述した実施形態のビット反転回路３１０や復元回路３２０の回路構成はあくまで一例である。また、ビット反転回路３１０や復元回路３２０の機能が、ハードウェア回路の処理ではなく、ソフトウェア処理（プログラム）によって実現されてもよい。
【００６２】
本発明の表示装置は、透過型の液晶パネルを備えた液晶表示装置に限られず、反射型の液晶パネルや、デジタルマイクロミラーデバイス（ＤＭＤ）を採用した表示装置であってもよい。また、本発明の表示装置は、プロジェクター（投写型の表示装置）であってもよい。また、本発明の表示装置として、電子ビューファインダーや、リヤ・プロジェクション型のテレビジョン、ヘッドマウントディスプレイ等も挙げられる。
本発明は、画像信号に基づいて画像の表示以外の処理を行う画像処理装置にも適用可能である。このような画像処理装置として、例えば、画像信号に基づいて印刷処理を行う印刷装置（プリンター）がある。画像処理装置は、例えば、図１で説明した画像処理装置９０と同様、ビット反転制御回路３０と、ＤＲＡＭ５０と、メモリーコントローラー４０と、画像処理回路２０に相当する構成を備える。画像処理回路２０は、ＤＲＡＭ５０に読み書きされる画像信号に基づいて、種々の画像処理を行う。この画像処理は、画像信号に対する処理であればよく、その具体的な処理は画像処理装置の用途等に応じて決定される。画像処理装置が印刷装置の場合、画像処理回路２０は、印刷処理用のデータを生成するためのレンダリングやラスタライズ等の画像処理を行ってもよい。
本発明の信号処理装置は、外部の装置に対して着脱可能なプロセッサーによって実現されてもよい。
本発明のメモリーは、ＤＲＡＭ以外のメモリー（例えば、ＳＲＡＭ：Static Random Access Memory）であってもよい。
また、本発明は、信号処理方法として把握することも可能である。
【符号の説明】
【００６３】
１…液晶表示装置、１０…ＣＰＵ、２０…画像処理回路、３０…ビット反転制御回路、３１０…ビット反転回路、３１０Ａ…入力手段、３１０Ｂ…判定手段、３１０Ｃ…ビット反転手段、３１０Ｄ…付加手段、３１１…入力受付回路、３１２Ｒ，３１２Ｇ，３１２Ｂ…反転回路、３１３Ｒ，３１３Ｇ，３１３Ｂ…セレクター、３１４…比較判定回路、３１５Ｒ，３１５Ｇ，３１５Ｂ…加算器、３２０…復元回路、３２１Ｒ，３２１Ｇ，３２１Ｂ…検出回路、３２２Ｒ，３２２Ｇ，３２２Ｂ…反転回路、３２３Ｒ，３２３Ｇ，３２３Ｂ…セレクター、４０…メモリーコントローラー、５０…ＤＲＡＭ、６０…タイミング発生回路、７０…表示領域、８０…画像処理回路、９０…画像処理装置、１００，１００Ｒ，１００Ｇ，１００Ｂ…液晶パネル、１１０…画素、１３０…走査線駆動回路、１４０…データ線駆動回路
【図１】
2017060046.tif 000003
【図２】
2017060046.tif 000004
【図３】
2017060046.tif 000005
【図４】
2017060046.tif 000006
【図５】
2017060046.tif 000007
【図６】
2017060046.tif 000008
【図７】
2017060046.tif 000009
【図８】
2017060046.tif 000010
【図９】
2017060046.tif 000011
【図１０】
2017060046.tif 000012
【図１１】
2017060046.tif 000013
【図１２】
2017060046.tif 000014
【図１３】
2017060046.tif 000015
【図１４】
2017060046.tif 000016